(57)【要約】  本発明は、コンテンツのＵＲＬをテレビを用いて利用者へ告知するためのコンテンツＵＲＬ告知システムである。  本発明では、コンテンツＵＲＬ告知システムにおいて、コンテンツ提供者のサーバーコンピュータは、コンテンツのＵＲＬに関する情報（ＵＲＬ情報）を電子通信回線網を介して放送者のクライアントコンピュータに送信し、放送者のクライアントコンピュータは、サーバーコンピュータから受信したＵＲＬ情報をテレビ放送するためのテレビデータを作成し、利用者の端末装置は、クライアントコンピュータが作成したテレビデータから抽出されたＵＲＬ情報に基づいて電子通信回線網を介してサーバーコンピュータにアクセスすることにした。
2010119834.tif 000002
【特許請求の範囲】
【請求項１】
コンテンツのＵＲＬをテレビを用いて利用者へ告知するためのコンテンツＵＲＬ告知システムにおいて、
コンテンツ提供者のサーバーコンピュータは、コンテンツのＵＲＬに関する情報（ＵＲＬ情報）を電子通信回線網を介して放送者のクライアントコンピュータに送信し、
放送者のクライアントコンピュータは、サーバーコンピュータから受信したＵＲＬ情報をテレビ放送するためのテレビデータを作成し、
利用者の端末装置は、クライアントコンピュータが作成したテレビデータから抽出されたＵＲＬ情報に基づいて電子通信回線網を介してサーバーコンピュータにアクセスする、
ことを特徴とするコンテンツＵＲＬ告知システム。
【請求項２】
前記サーバーコンピュータ及び端末装置が複数存在し、クライアントコンピュータで複数の異なるコンテンツのＵＲＬ情報を同時にテレビ放送するテレビデータを作成するとともに、端末装置でテレビデータから抽出された複数のＵＲＬ情報に基づいていずれかのサーバーコンピュータを選択してアクセスすることを特徴とする請求項１に記載のコンテンツＵＲＬ告知システム。
【請求項３】
前記テレビ放送を受信したテレビがテレビデータからＵＲＬ情報を抽出し、利用者の端末装置に送信することを特徴とする請求項１又は請求項２に記載のコンテンツＵＲＬ告知システム。
【請求項４】
前記サーバーコンピュータは、端末装置からコンテンツにアクセスされた場合に、利用者に関する情報を集計し、その結果を新たなコンテンツ（集計コンテンツ）として利用者が電子通信回線網を介してアクセス可能な状態に提供するとともに、その集計コンテンツのＵＲＬ情報を放送者のクライアントコンピュータに送信することを特徴とする請求項１〜請求項３のいずれかに記載のコンテンツＵＲＬ告知システム。
【発明の詳細な説明】
【技術分野】
【０００１】
本発明は、コンテンツのＵＲＬをテレビを用いて利用者へ告知するためのシステム（コンテンツＵＲＬ告知システム）に関するものである。
【背景技術】
【０００２】
近年、インターネットの普及により大量のコンテンツが電子通信回線網を介してコンテンツ提供者から利用者に提供されている。このコンテンツを利用者が利用するためには、利用者がコンテンツ提供者のコンテンツに電子通信回線網を使ってアクセスする必要があり、そのためには利用者がコンテンツにアクセスするためのＵＲＬ（Uniform Resource Locator）を予め知る必要がある。【０００３】
そこで、従来より、コンテンツのＵＲＬを利用者に告知する方法が様々な形で行われてきている。その中で、特に近年においては、テレビを通じてコンテンツのＵＲＬを利用者に告知するシステムが考案されている。【０００４】
このテレビを通じたコンテンツＵＲＬ告知システムとしては、コンテンツのＵＲＬをマトリックス型２次元コードで表される画像に変換し、その画像を放送者によって放送することで利用者のテレビジョンセットのモニター上にテレビ画像として表示し、表示されたテレビ画像を利用者の携帯電話機で撮影するとともに携帯電話機に格納されたソフトウェアで画像に変換されたコンテンツのＵＲＬに電子通信回線網を介してアクセスすることができるように構成したシステムが構築されている（たとえば、特許文献１参照。）。
【先行技術文献】
【特許文献】
【０００５】
【特許文献１】特開２００６−２４６０５６号公報
【発明の概要】
【発明が解決しようとする課題】
【０００６】
上記従来のテレビを通じたコンテンツＵＲＬ告知システムは、テレビ放送といったマスメディアを有効に利用してテレビを視聴する多くの利用者に同時にコンテンツのＵＲＬを告知することができるものであるが、コンテンツ提供者・放送者・利用者の各者から見ると、さらなる改良が求められている。【０００７】
コンテンツ提供者から見ると、作成したコンテンツを利用者が電子通信回線網を介してアクセス可能な状態に提供（アップロード）した後に、コンテンツ提供者がコンテンツのＵＲＬを放送するよう放送者に依頼し、その後、放送者が放送するテレビデータを作成して放送することになるために、コンテンツの提供から放送までに労力や時間がかかっていた。【０００８】
また、放送者から見ると、コンテンツのＵＲＬを放送するだけであったために、放送したＵＲＬがどのような視聴者に利用されているのかなどの告知効果を知ることができず、テレビ番組やテレビＣＭなどとの相関性を把握することができなかった。【０００９】
さらに、利用者から見ると、テレビ放送によって一方的にＵＲＬが告知されるだけであったために、他の利用者の利用状況などを知ることができず、単にテレビ放送を一方向性の媒体としてしか捉えられず双方向的な活用ができなかった。
【課題を解決するための手段】
【００１０】
そこで、請求項１に係る本発明では、コンテンツのＵＲＬをテレビを用いて利用者へ告知するためのコンテンツＵＲＬ告知システムにおいて、コンテンツ提供者のサーバーコンピュータは、コンテンツのＵＲＬに関する情報（ＵＲＬ情報）を電子通信回線網を介して放送者のクライアントコンピュータに送信し、放送者のクライアントコンピュータは、サーバーコンピュータから受信したＵＲＬ情報をテレビ放送するためのテレビデータを作成し、利用者の端末装置は、クライアントコンピュータが作成したテレビデータから抽出されたＵＲＬ情報に基づいて電子通信回線網を介してサーバーコンピュータにアクセスすることにした。【００１１】
また、請求項２に係る本発明では、前記請求項１に係る本発明において、前記サーバーコンピュータ及び端末装置が複数存在し、クライアントコンピュータで複数の異なるコンテンツのＵＲＬ情報を同時にテレビ放送するテレビデータを作成するとともに、端末装置でテレビデータから抽出された複数のＵＲＬ情報に基づいていずれかのサーバーコンピュータを選択してアクセスすることにした。【００１２】
また、請求項３に係る本発明では、前記請求項１又は請求項２に係る本発明において、前記テレビ放送を受信したテレビがテレビデータからＵＲＬ情報を抽出し、利用者の端末装置に送信することにした。【００１３】
また、請求項４に係る本発明では、前記請求項１〜請求項３のいずれかに係る本発明において、前記サーバーコンピュータは、端末装置からコンテンツにアクセスされた場合に、利用者に関する情報を集計し、その結果を新たなコンテンツ（集計コンテンツ）として利用者が電子通信回線網を介してアクセス可能な状態に提供するとともに、その集計コンテンツのＵＲＬ情報を放送者のクライアントコンピュータに送信することにした。
【発明の効果】
【００１４】
そして、本発明では、以下に記載する効果を奏する。【００１５】
すなわち、本発明では、コンテンツ提供者がコンテンツの提供とともに提供するコンテンツのＵＲＬに関する情報を放送者に送信することにしているために、コンテンツの提供から放送までに要する労力や時間を軽減することができる。【００１６】
特に、サーバーコンピュータ及び端末装置が複数存在し、クライアントコンピュータで複数の異なるコンテンツのＵＲＬ情報を同時にテレビ放送するテレビデータを作成するとともに、端末装置でテレビデータから抽出された複数のＵＲＬ情報に基づいていずれかのサーバーコンピュータを選択してアクセスすることにした場合には、テレビを一緒に視聴する各利用者の嗜好に応じてコンテンツを自由に選択することができ、家族等の大衆に対するテレビ放送を通じて個人個人に対応したコンテンツのＵＲＬを容易かつ円滑に提供することができる。【００１７】
また、テレビ放送を受信したテレビがテレビデータからＵＲＬ情報を抽出し、利用者の端末装置に送信することにした場合には、利用者の操作負担を軽減したＵＲＬの提供を行うことができる。【００１８】
また、利用者に関する情報を集計した結果を集計コンテンツとして提供するとともに、そのＵＲＬ情報を放送者及び利用者に通知した場合には、放送者がコンテンツのＵＲＬの告知効果を知ることができてテレビ番組やテレビＣＭなどとの相関性を把握することができ、また、利用者が他の利用者の利用状況を知ることができてテレビ放送を双方向的に活用することができる。
【図面の簡単な説明】
【００１９】
【図１】コンテンツＵＲＬ告知システムのハードウェア構成を模式的に示した説明図。
【図２】コンテンツＵＲＬ告知システムの動作を経時的に示した説明図。
【図３】コンテンツＵＲＬ告知システムのハードウェア構成を模式的に示した説明図。
【図４】コンテンツＵＲＬ告知システムの動作を経時的に示した説明図。
【発明を実施するための形態】
【００２０】
以下に、本発明に係るコンテンツＵＲＬ告知システムの具体的な構成について図面を参照しながら説明する。
【００２１】
本発明に係るシステムは、コンテンツ提供者が提供するコンテンツのＵＲＬを放送者が放送するテレビ放送を通じて利用者に告知するものであり、これにより、テレビ放送を視聴する多くの利用者が告知されたＵＲＬにアクセスすることでコンテンツを利用することができ、その結果、コンテンツの利用頻度を大幅に増大させることができるものである。
【００２２】
［実施例１］
図１に示すように、実施例１に係る本システムでは、コンテンツ提供者のサーバーコンピュータ１と放送者のクライアントコンピュータ２と利用者の端末装置３が電子通信回線網４を介して通信可能に接続されている。
【００２３】
放送者のクライアントコンピュータ２は、テレビ放送するために必要となる各種の機器から構成された放送装置５とデータ送信可能に接続されている。
【００２４】
利用者の端末装置３は、テレビ放送を受信しテレビデータを表示するために必要となる各種の機器から構成されたテレビジョンセット（テレビ６）とデータ受信可能に接続されている。
【００２５】
サーバーコンピュータ１とクライアントコンピュータ２と端末装置３とを結ぶ電子通信回線網４は、サーバーコンピュータ１とクライアントコンピュータ２、サーバーコンピュータ１と端末装置３とがそれぞれ相互に通信することができるものであればよく、インターネットのように公衆的な回線でもイントラネットのように専用的な回線でもよく、サーバーコンピュータ１とクライアントコンピュータ２とを専用回線で接続するとともにサーバーコンピュータ１と端末装置３とを公衆回線で接続するようにしたものも含まれる。
【００２６】
クライアントコンピュータ２と放送装置５とは、クライアントコンピュータ２が有するデータを放送装置５に送信することができるように接続されていればよく、専用線で接続された場合に限られず、電子通信回線網４を利用して接続してもよく、また、記憶媒体を介して人的操作によりデータを送信できるようにしたものも含まれる。
【００２７】
端末装置３は、広く普及している携帯電話機やＰＤＡ（Personal Digital Assistannt：携帯情報端末）などの一体型のものでもよく、また、コンピュータと周辺機器からなるセット型のものでもよいが、サーバーコンピュータ１と通信できるだけでなくテレビ６からデータを受信できるものである必要があり、マトリックス型２次元コードで実用化されているようにテレビ６のモニター上に表示されたテレビ画像を撮影し解析することでテレビ６からデータを受信できるようにしたものでもよく、専用線を介した通信や無線による通信を行えるようにしたものでもよい。また、端末装置３は、テレビ放送を受信することができるチューナを内蔵し、受信したアナログ又はデジタルのテレビ信号を解析するソフトウェアを格納したものでもよい。
【００２８】
そして、本システムでは、図１に示すハードウェア構成を利用して、コンテンツ提供者と放送者と利用者とが図２に示すようにして相互に連携し、放送者が行うテレビ放送を通じてコンテンツ提供者が提供するコンテンツのＵＲＬを利用者に告知するようにしている。
【００２９】
すなわち、図２に示すように、まず、コンテンツ提供者は、サーバーコンピュータ１によって電子通信回線網４を介して利用できるコンテンツを作成する（コンテンツ作成ステップ）。なお、コンテンツ作成ステップでは、コンテンツ提供者が自らコンテンツを作成する場合に限られず、コンテンツ作成者に依頼して作成してもよく、コンテンツを作成するためのプログラム（ＣＭＳ：Contennt Managemennt System）を電子通信回線網４を介して提供することで作成するようにしてもよい。
【００３０】
次に、コンテンツ提供者は、コンテンツ作成ステップで作成されたコンテンツをサーバーコンピュータ１によって電子通信回線網４を介して利用可能な状態に提供（アップロード）する（コンテンツ提供ステップ）。このようにコンテンツを利用可能な状態に提供するには、利用者がコンテンツに電子通信回線網４を介してアクセスできるようにしなければならず、そのためには、コンテンツの電子通信回線網上における所在位置であるＵＲＬがそのコンテンツに対応して決定されることになる。
【００３１】
次に、コンテンツ提供者は、コンテンツ提供ステップで提供するコンテンツに対応して決定されたＵＲＬに関する情報（ＵＲＬ情報）をサーバーコンピュータ１から電子通信回線網４を介してクライアントコンピュータ２に送信する（コンテンツＵＲＬ送信ステップ）。ここで、ＵＲＬ情報は、コンテンツのＵＲＬを含んだ情報であればよく、単にＵＲＬを示す文字列だけでもよく、そのＵＲＬをマトリックス型２次元コードに変換した画像でもよく、ＵＲＬだけでなく提供者の名称やコンテンツの概要などを付加した情報でもよい。
【００３２】
このコンテンツＵＲＬ送信ステップに対応して、放送者は、クライアントコンピュータ２でサーバーコンピュータ１から電子通信回線網４を介して送信されたＵＲＬ情報を受信する（コンテンツＵＲＬ受信ステップ）。
【００３３】
その後、放送者は、コンテンツＵＲＬ受信ステップで受信されたＵＲＬ情報に基づいてクライアントコンピュータ２を用いてコンテンツのＵＲＬを含んだテレビデータを作成する（テレビデータ作成ステップ）。なお、コンテンツのＵＲＬを含んだテレビデータは、ＵＲＬを示す文字列を表示する画像でもよく、そのＵＲＬをマトリックス型２次元コードに変換した画像でもよく、ＵＲＬだけでなく提供者の名称やコンテンツの概要などを付加した情報まで表示する画像でもよい。さらに、テレビデータは、アナログ信号に限られずデジタル信号でもよく、ＢＭＬ（Broadcast Markup Language）等のデータ放送用記述言語などの特殊な言語で記述されたものでもよい。
【００３４】
次に、放送者は、テレビデータ作成ステップで作成したテレビデータをアナログ又はデジタルのテレビ信号に変換して放送装置５を用いてテレビ番組やテレビＣＭなどとしてテレビ放送する（テレビ放送ステップ）。なお、テレビ放送は、通常のアナログ又はデジタルのテレビ放送によるものに限られずデジタルテレビ放送で利用されるデータ放送によるものでもよい。
【００３５】
このテレビ放送ステップに対応して、テレビ放送の視聴者でもある利用者は、テレビ６を用いて放送者の放送装置５から放送されたテレビ信号を受信し（テレビ信号受信ステップ）、テレビ６によってモニター上にテレビ信号が画像として表示される（テレビ画像表示ステップ）。
【００３６】
その後、利用者は、テレビ画像表示ステップでテレビ６に表示されたテレビ画像から端末装置３を用いてテレビデータに含まれていたコンテンツのＵＲＬを取得する（コンテンツＵＲＬ取得ステップ）。
【００３７】
ここで、コンテンツＵＲＬ取得ステップとしては、たとえば、テレビ６のモニター上に表示されたコンテンツのＵＲＬをマトリックス型２次元コードを端末装置３で撮影し解析することでコンテンツのＵＲＬを抽出するようにしてもよい。
【００３８】
また、コンテンツＵＲＬ取得ステップとしては、テレビ６に内蔵されたハードウェア及びソフトウェアを用いて受信したテレビ信号を解析してコンテンツのＵＲＬを抽出し、そのＵＲＬをテレビ６から端末装置３に専用線や無線による通信機能を用いて送信することで、直接的にコンテンツのＵＲＬを取得するようにしてもよい。
【００３９】
さらに、コンテンツＵＲＬ取得ステップとしては、テレビ６に内蔵されたハードウェア及びソフトウェアを用いて受信した特殊な言語の一部を抽出し、それをそのまま、或いは、所定フォーマットのデータに変換してテレビ６から端末装置３に専用線や無線による通信機能を用いて送信し端末装置３で受信したデータを解析することでコンテンツのＵＲＬを抽出するようにしてもよい。この場合、テレビ放送するテレビ信号でＢＭＬ等の特殊な言語で記述した通常の放送内容を示すデータに特別なデータを付加して放送装置５からテレビ６に送信し、テレビ６に予め内蔵したハードウェア及びソフトウェアを用いて放送内容を示すデータと特別なデータとを分離し、特別なデータをテレビ６から端末装置３に送信し、端末装置３に予め内蔵したハードウェア及びソフトウェアで特別なデータからコンテンツのＵＲＬを抽出するようにすればよい。
【００４０】
次に、利用者は、コンテンツＵＲＬ取得ステップで取得したＵＲＬを使用して端末装置３からサーバーコンピュータ１に電子通信回線網４を介してアクセスする（コンテンツアクセスステップ）。これにより、利用者は、コンテンツを利用することができる。なお、コンテンツの内容は限定されるものではないが、同時に放送されるテレビ番組やテレビＣＭと関連した内容が好ましく、たとえば、同時に放送されるテレビ番組やテレビＣＭの対象となる商品についてのアンケート調査や販売や試供品提供などが適している。
【００４１】
そして、コンテンツアクセスステップによって利用者からアクセスされた場合には、コンテンツ提供者は、サーバーコンピュータ１を用いて利用者に関する情報を集計する（利用者情報集計ステップ）ことができる。この利用者情報集計ステップでは、たとえば、利用者の総数、男女や年齢別の内訳数、アンケート結果、販売結果、試供品提供結果など様々なものが考えられる。
【００４２】
これにより、コンテンツ提供者は、サーバーコンピュータ１を用いて利用者情報集計ステップの実行により得られた結果を新たなコンテンツ（集計コンテンツ）として作成する（集計コンテンツ作成ステップ）ことができ、集計コンテンツ作成ステップで作成された集計コンテンツをサーバーコンピュータ１によって電子通信回線網４を介して利用可能な状態に提供（アップロード）する（集計コンテンツ提供ステップ）ことができる。この集計コンテンツは、上記したコンテンツと同様に、対応したＵＲＬが決定される。
【００４３】
次に、コンテンツ提供者は、集計コンテンツ提供ステップで提供する集計コンテンツに対応して決定されたＵＲＬに関する情報（ＵＲＬ情報）をサーバーコンピュータ１から電子通信回線網４を介してクライアントコンピュータ２に送信する（集計コンテンツＵＲＬ送信ステップ）。
【００４４】
この集計コンテンツＵＲＬ送信ステップに対応して、放送者は、クライアントコンピュータ２でサーバーコンピュータ１から電子通信回線網４を介して送信された集計コンテンツのＵＲＬ情報を受信する（集計コンテンツＵＲＬ受信ステップ）。
【００４５】
その後、放送者は、集計コンテンツＵＲＬ受信ステップで受信されたＵＲＬ情報に基づいてクライアントコンピュータ２を用いて集計コンテンツのＵＲＬを含んだテレビ放送用のテレビデータを作成し（テレビデータ作成ステップ）、作成したテレビデータを放送装置５を用いてテレビ番組やテレビＣＭとしてテレビ放送し（テレビ放送ステップ）、それに対応して、利用者は、テレビ６を用いて放送者の放送装置５から放送されたテレビ信号を受信し（テレビ受信ステップ）、テレビ６によってモニター上にテレビ画像が表示される（テレビ画像表示ステップ）。
【００４６】
これにより、利用者は、テレビデータ表示ステップでテレビ６に表示されたテレビデータから端末装置３を用いて集計コンテンツのＵＲＬを抽出する（集計コンテンツＵＲＬ取得ステップ）ことができ、また、集計コンテンツＵＲＬ取得ステップで抽出したＵＲＬを使用して端末装置３からサーバーコンピュータ１に電子通信回線網４を介してアクセスする（集計コンテンツアクセスステップ）ことができる。
【００４７】
以上に説明したように、本システムでは、テレビデータを通じたコンテンツＵＲＬ告知システムにおいて、コンテンツ提供者のサーバーコンピュータ１は、利用者が電子通信回線網４を介してアクセス可能な状態にコンテンツを提供するコンテンツ提供ステップを実行するとともに、そのコンテンツのＵＲＬ情報を放送者のクライアントコンピュータ２に送信するコンテンツＵＲＬ送信ステップを実行するようにしている。
【００４８】
そのため、本システムでは、コンテンツ提供者がコンテンツの提供とともに提供するコンテンツのＵＲＬに関する情報を放送者に送信することになり、コンテンツの提供から放送までに要する労力や時間を軽減することができる。
【００４９】
また、テレビ放送を受信したテレビ６がテレビデータからＵＲＬ情報を抽出し、利用者の端末装置３に送信することにした場合には、利用者の操作負担を軽減したＵＲＬの提供を行うことができる。
【００５０】
しかも、本システムでは、コンテンツ提供者のサーバーコンピュータ１が、利用者の端末装置３からコンテンツにアクセスされた場合に、利用者に関する情報を集計する利用者情報集計ステップを実行し、その利用者情報集計ステップの実行により得られた結果を新たなコンテンツ（集計コンテンツ）として利用者が電子通信回線網４を介してアクセス可能な状態に提供する集計コンテンツ提供ステップを実行するとともに、その集計コンテンツのＵＲＬ情報を放送者のクライアントコンピュータ２に送信する集計コンテンツＵＲＬ送信ステップを実行するようにしている。
【００５１】
そのため、本システムでは、利用者に関する情報を集計した結果が集計コンテンツとして提供されるとともに、そのＵＲＬ情報が放送者及び利用者に通知されることになり、放送者から見ると、コンテンツのＵＲＬの告知効果を知ることができてテレビ番組やテレビＣＭなどとの相関性を把握することができ、また、利用者から見ると、他の利用者の利用状況を知ることができてテレビ放送を双方向的に活用することができる。
【００５２】
［実施例２］
図３に示すように、実施例２に係る本システムでは、実施例１に係る本システムにおいてコンテンツ提供者と利用者とが複数存在している場合に対応し、コンテンツ提供者A,B,Cのサーバーコンピュータ1A,1B,1Cと放送者のクライアントコンピュータ２と利用者a,bの端末装置3a,3bが電子通信回線網４を介して通信可能に接続されている。なお、サーバーコンピュータ1A,1B,1Cは、上記サーバーコンピュータ１と同様のものであり、また、端末装置3a,3bは、上記端末装置３と同様のものである。
【００５３】
そして、本システムでは、図３に示すハードウェア構成を利用して、コンテンツ提供者A,B,Cと放送者と利用者a,bとが図４に示すようにして相互に連携し、放送者が行うテレビ放送を通じてコンテンツ提供者A,B,Cが提供するコンテンツのＵＲＬを利用者a,bに告知するようにしている。
【００５４】
すなわち、図４に示すように、まず、コンテンツ提供者A,B,Cは、それぞれのサーバーコンピュータ1A,1B,1Cによって電子通信回線網４を介して利用できるコンテンツを作成し（コンテンツ作成ステップ）、その後、それぞれのコンテンツ作成ステップで作成されたコンテンツをサーバーコンピュータ1A,1B,1Cによって電子通信回線網４を介して利用可能な状態に提供（アップロード）し（コンテンツ提供ステップ）、コンテンツに対応して決定されたＵＲＬに関する情報（ＵＲＬ情報）をそれぞれのサーバーコンピュータ1A,1B,1Cから電子通信回線網４を介してクライアントコンピュータ２に送信する（コンテンツＵＲＬ送信ステップ）。
【００５５】
このコンテンツＵＲＬ送信ステップに対応して、放送者は、クライアントコンピュータ２でそれぞれのサーバーコンピュータ1A,1B,1Cから電子通信回線網４を介して送信されたＵＲＬ情報を受信する（コンテンツＵＲＬ受信ステップ）。
【００５６】
その後、放送者は、コンテンツＵＲＬ受信ステップで受信された全てのＵＲＬ情報に基づいてクライアントコンピュータ２を用いて全てのコンテンツのＵＲＬを含んだテレビデータを作成する（テレビデータ作成ステップ）。
【００５７】
次に、放送者は、テレビデータ作成ステップで作成したテレビデータをアナログ又はデジタルのテレビ信号に変換して放送装置５を用いてテレビ番組やテレビＣＭなどとしてテレビ放送する（テレビ放送ステップ）。
【００５８】
このテレビ放送ステップに対応して、テレビ放送の視聴者でもある利用者a,bは、一台のテレビ６を用いて放送者の放送装置５から放送されたテレビ信号を受信し（テレビ信号受信ステップ）、テレビ６によってモニター上にテレビ信号が画像として表示される（テレビ画像表示ステップ）。
【００５９】
その後、利用者は、テレビ画像表示ステップでテレビ６に表示されたテレビ画像から端末装置３を用いてテレビデータに含まれていた複数のコンテンツのＵＲＬを取得する（コンテンツＵＲＬ取得ステップ）。
【００６０】
ここで、コンテンツＵＲＬ取得ステップとしては、たとえば、テレビ６のモニター上に表示された複数のコンテンツのＵＲＬをマトリックス型２次元コードを端末装置３で一枚の画像として撮影し解析することでそれぞれのコンテンツのＵＲＬを抽出するようにしてもよい。また、コンテンツＵＲＬ取得ステップとしては、テレビ６に内蔵されたハードウェア及びソフトウェアを用いて受信したテレビ信号を解析して複数のコンテンツのＵＲＬを抽出し、それら全てのＵＲＬをテレビ６から端末装置３に専用線や無線による通信機能を用いて送信することで、直接的に複数のコンテンツのＵＲＬを取得するようにしてもよい。さらに、コンテンツＵＲＬ取得ステップとしては、テレビ６に内蔵されたハードウェア及びソフトウェアを用いて受信した特殊な言語の一部を抽出し、それをそのまま、或いは、所定フォーマットのデータに変換してテレビ６から端末装置３に専用線や無線による通信機能を用いて送信し端末装置３で受信したデータを解析することで複数のコンテンツのＵＲＬを抽出するようにしてもよい。
【００６１】
次に、利用者は、コンテンツＵＲＬ取得ステップで取得した全てのＵＲＬの中から一つのＵＲＬを選択して端末装置３からサーバーコンピュータ１に電子通信回線網４を介してアクセスする（コンテンツアクセスステップ）。これにより、利用者は、選択したコンテンツを利用することができる。
【００６２】
このように、サーバーコンピュータ1A,1B,1C及び端末装置3a,3bが複数存在し、クライアントコンピュータ２で複数の異なるコンテンツのＵＲＬ情報を同時にテレビ放送するテレビデータを作成するとともに、端末装置1a,1bでテレビデータから抽出された複数のＵＲＬ情報に基づいていずれかのサーバーコンピュータ1A,1B,1Cを選択してアクセスすることにした場合には、テレビ６を一緒に視聴する各利用者a,bの嗜好に応じてコンテンツを自由に選択することができ、家族等の大衆に対するテレビ放送を通じて個人個人に対応したコンテンツのＵＲＬを容易かつ円滑に提供することができる。これにより、大衆向けに発達したテレビ文化と個人向けに発達したインターネット文化との融合を図ることができ、テレビ放送といったマスメディアを通じて個人の嗜好に応じて選択可能なコンテンツのＵＲＬを広く告知することが可能となる。
【符号の説明】
【００６３】
１ ：サーバーコンピュータ
１Ａ：サーバーコンピュータ
１Ｂ：サーバーコンピュータ
１Ｃ：サーバーコンピュータ
２ ：クライアントコンピュータ
３ ：端末装置
３ａ：端末装置
３ｂ：端末装置
４ ：電子通信回線網
５ ：放送装置
６ ：テレビ
【図１】
2010119834.tif 000003
【図２】
2010119834.tif 000004
【図３】
2010119834.tif 000005
【図４】
2010119834.tif 000006
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
コンテンツのＵＲＬをテレビを用いて利用者へ告知するためのコンテンツＵＲＬ告知システムにおいて、
コンテンツ提供者のサーバーコンピュータは、コンテンツを作成するためのプログラムを電子通信回線網を介して提供してコンテンツの作成を行い、そのコンテンツに対応してＵＲＬを決定し、そのコンテンツのＵＲＬに関する情報（ＵＲＬ情報）を電子通信回線網を介して放送者のクライアントコンピュータに送信し、
放送者のクライアントコンピュータは、サーバーコンピュータから受信したＵＲＬ情報をテレビ放送するためのテレビデータを作成し、
利用者の端末装置は、クライアントコンピュータが作成したテレビデータから抽出されたＵＲＬ情報に基づいて電子通信回線網を介してサーバーコンピュータにアクセスする、
ことを特徴とするコンテンツＵＲＬ告知システム。
【請求項２】
前記サーバーコンピュータ及び端末装置が複数存在し、クライアントコンピュータで複数の異なるコンテンツのＵＲＬ情報を同時にテレビ放送するテレビデータを作成するとともに、端末装置でテレビデータから抽出された複数のＵＲＬ情報に基づいていずれかのサーバーコンピュータを選択してアクセスすることを特徴とする請求項１に記載のコンテンツＵＲＬ告知システム。
【請求項３】
前記テレビ放送を受信したテレビがテレビデータからＵＲＬ情報を抽出し、利用者の端末装置に送信することを特徴とする請求項１又は請求項２に記載のコンテンツＵＲＬ告知システム。
【請求項４】
前記サーバーコンピュータは、端末装置からコンテンツにアクセスされた場合に、利用者に関する情報を集計し、その結果を新たなコンテンツ（集計コンテンツ）として利用者が電子通信回線網を介してアクセス可能な状態に提供するとともに、その集計コンテンツのＵＲＬ情報を放送者のクライアントコンピュータに送信することを特徴とする請求項１〜請求項３のいずれかに記載のコンテンツＵＲＬ告知システム。
【手続補正２】
【補正対象書類名】明細書
【補正対象項目名】００１０
【補正方法】変更
【補正の内容】
【００１０】
そこで、請求項１に係る本発明では、コンテンツのＵＲＬをテレビを用いて利用者へ告知するためのコンテンツＵＲＬ告知システムにおいて、コンテンツ提供者のサーバーコンピュータは、コンテンツを作成するためのプログラムを電子通信回線網を介して提供してコンテンツの作成を行い、そのコンテンツに対応してＵＲＬを決定し、そのコンテンツのＵＲＬに関する情報（ＵＲＬ情報）を電子通信回線網を介して放送者のクライアントコンピュータに送信し、放送者のクライアントコンピュータは、サーバーコンピュータから受信したＵＲＬ情報をテレビ放送するためのテレビデータを作成し、利用者の端末装置は、クライアントコンピュータが作成したテレビデータから抽出されたＵＲＬ情報に基づいて電子通信回線網を介してサーバーコンピュータにアクセスすることにした。
【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
コンテンツのＵＲＬをテレビを用いて利用者へ告知するためのコンテンツＵＲＬ告知システムにおいて、
コンテンツ提供者のサーバーコンピュータは、コンテンツを作成するためのプログラムをコンテンツ作成者に電子通信回線網を介して提供し、コンテンツ作成者が作成したコンテンツに対応してＵＲＬを決定し、そのコンテンツのＵＲＬに関する情報（ＵＲＬ情報）を電子通信回線網を介して放送者のクライアントコンピュータに送信し、
放送者のクライアントコンピュータは、サーバーコンピュータからＵＲＬ情報を受信し、受信したＵＲＬ情報に基づいてＵＲＬ情報をテレビ放送するためのテレビデータを作成し、
利用者の端末装置は、クライアントコンピュータが作成したテレビデータから抽出されたＵＲＬ情報に基づいて電子通信回線網を介してサーバーコンピュータにアクセスする、
ことを特徴とするコンテンツＵＲＬ告知システム。
【請求項２】
前記サーバーコンピュータ及び端末装置が複数存在し、クライアントコンピュータで複数の異なるコンテンツのＵＲＬ情報を同時にテレビ放送するテレビデータを作成するとともに、端末装置でテレビデータから抽出された複数のＵＲＬ情報に基づいていずれかのサーバーコンピュータを選択してアクセスすることを特徴とする請求項１に記載のコンテンツＵＲＬ告知システム。
【請求項３】
前記テレビ放送を受信したテレビがテレビデータからＵＲＬ情報を抽出し、利用者の端末装置に送信することを特徴とする請求項１又は請求項２に記載のコンテンツＵＲＬ告知システム。
【請求項４】
前記サーバーコンピュータは、端末装置からコンテンツにアクセスされた場合に、利用者に関する情報を集計し、その結果を新たなコンテンツ（集計コンテンツ）として利用者が電子通信回線網を介してアクセス可能な状態に提供するとともに、その集計コンテンツのＵＲＬ情報を放送者のクライアントコンピュータに送信することを特徴とする請求項１〜請求項３のいずれかに記載のコンテンツＵＲＬ告知システム。
【手続補正２】
【補正対象書類名】明細書
【補正対象項目名】００１０
【補正方法】変更
【補正の内容】
【００１０】
そこで、請求項１に係る本発明では、コンテンツのＵＲＬをテレビを用いて利用者へ告知するためのコンテンツＵＲＬ告知システムにおいて、コンテンツ提供者のサーバーコンピュータは、コンテンツを作成するためのプログラムをコンテンツ作成者に電子通信回線網を介して提供し、コンテンツ作成者が作成したコンテンツに対応してＵＲＬを決定し、そのコンテンツのＵＲＬに関する情報（ＵＲＬ情報）を電子通信回線網を介して放送者のクライアントコンピュータに送信し、放送者のクライアントコンピュータは、サーバーコンピュータからＵＲＬ情報を受信し、受信したＵＲＬ情報に基づいてＵＲＬ情報をテレビ放送するためのテレビデータを作成し、利用者の端末装置は、クライアントコンピュータが作成したテレビデータから抽出されたＵＲＬ情報に基づいて電子通信回線網を介してサーバーコンピュータにアクセスすることにした。
【国際調査報告】
2010119834.tif 000007
2010119834.tif 000008
2010119834.tif 000009
2010119834.tif 000010